(57)【要約】
【課題】　弾力回転機能を具えたコードリール表面において、巻取り限界まで引出されても、コードとコードリール表面の係合溝が強く摩擦して傷ついたり位置がずれる恐れはないコードリールとコードの巻取装置を提供する。
【解決手段】　回転体１０は力を受けると巻取ばね４０により弾力回転を行い、固定軸２０を軸心として正、逆方向の回転する。該回転体は左輪面１１、右輪面１２を備え、左コード、或いは右コードが左又は右輪面に巻き付く回数は、他方のコードが巻き付く回数より少なくとも一回以上多く、該左、右コードが該左、右輪面から引出され、限界点に達しても少なくとも一巻き以上の基礎コイルがあり、その輪面上において拘束されるため限界まで引出されることはない。
【選択図】図１
0003100577.tif 000002
【実用新案登録請求の範囲】
【請求項１】
　主に回転体を含み、
　該回転体は、固定軸を軸心として正、逆方向に回転可能に支持されて巻取りバネによる弾発力を保って回転を行い、
該回転体は、輪表面を具え、該輪表面は左輪面、右輪面に区分されて、２個の係合溝がそれぞれ横方向に輪表面に設けられ、
　環状凹溝が該回転体の内壁面に形成され、
　連続したコードをその適当な段落を取って該環状凹溝中に嵌入して該コードの一端を該係合溝より穿出し、反対端はもう一方の係合溝から穿出し、これにより左、右コードに区分し、
　該左コードは該係合溝より外に出て反対に折れて該左輪面上に巻き付き、該右コードは該係合溝より外に出て進行方向のまま該右輪面上に巻き付き、
　該左コードが左輪面に巻き付く回数は、該右輪面上に右コードが巻き付く回数より少なくとも一回以上多く、該左、右コードが該左、右輪面から引出され、限界点に位置する時に該左コードは少なくとも一巻き以上の基礎コイルがあり、該左輪面上において拘束されることにより引出されることがないようにしたことを特徴とするコードリールとコードからなる巻取装置。
【請求項２】
　前記右コードが前記右輪面に巻き付く回数を、前記左コードが前記左輪面に巻き付く回数より少なくとも一回以上多くし、前記左、右コードが限界点にまで引出された時、前記右コードは基礎コイルがあり、前記右輪面上において拘束されることにより引出されることがないようにしたことを特徴とする請求項１記載のコードリールとコードからなる巻取装置。
【考案の詳細な説明】
【技術分野】
【０００１】
　本考案は一種のコードリールとコードの巻取装置に関する。特に一種の回転面上に巻き付き連接するコードで、両端が力を受け引出された時、該コードと該回転輪面の接続端間に剪断力を生じる恐れがなく、該コードと該接続端に強い摩擦を生じることを防止し、コード表面或いはコードの損壊を防ぐことができるコードリールとコードからなる巻取装置に係る。
【背景技術】
【０００２】
【特許文献１】台湾特許公告第529819号　公知のコードリールには、例えば台湾特許公告第529819号の「ケーブル巻取りユニットを具えたUSBコード」がある。該コードと回転輪の接続構造は図６が示す通りである。該構造は弾力回転機能を具えた回転輪体Aを固定軸B上に回転可能に配置し、バネCの内端を該固定軸B上に固定し、外端は該回転輪体Aの壁面に固定する。該回転輪体Aの内壁面には環状溝A1を設け、該輪面上には２個の係合溝A2、A3を設ける。　連続した信号線Wは、その中央部分を該環状溝A1に嵌入する。左、右コードW1、W2はそれぞれ該係合溝A2、A3より延伸し、それぞれ相互に反対方向に該回転輪体Aの外輪面上に巻き付く。さらに、該左、右コードW1、W2は外に向って引出され、該回転輪体Aは該固定軸Bを中心として回転する。これにより、該左、右コードW1、W2は同等な長さで引出される。
【０００３】
　しかし、上記構造においては、長期における引出し動作が原因で下記の欠陥を生じる。
　図７、８が示すように、該左、右コードW1、W2が限界点まで引出された時、該左、右コードW1、W2と該係合溝A2、A3端部の接触部位A5、A6は該係合溝A2、A3の口縁辺と強く摩擦するため傷つき易い。最後には、表面が破れ銅線が断裂し、導電(接触)不良を引起す。
　図７が示すように、該左コードW1(或いは右コードW2)の一端に対して引く使用者の力が強すぎる時には、該コードWは該環状溝A1に入ってしまい、ある方向に沿ってスライド移動する。これにより、該左コードW1(或いは右コードW2)の引出される長さは該右コードW2(左コードW1)の引出される長さより長くなる。その結果、コードの収納時には、該左コードW1(或いは右コードW2)はある程度の余裕を残すため、効果的に回転輪面上に収納することはできない。
【考案の開示】
【考案が解決しようとする課題】
【０００４】
　上記公知構造の欠点を解決するため、本考案はコードリールとコードの巻取装置の提供を課題とする。
　そのコードは弾力回転機能を具えたコードリール表面において、繰り返し引出され力を受ける時にも、コードとコードリール表面の係合溝は強く摩擦することはないため、傷ついたり位置がずれる恐れはない。
【課題を解決するための手段】
【０００５】
　上記課題を解決するため、本考案は下記のコードリールとコードの巻取装置を提供する。
　それは主に、図１が示すように、本考案は回転体１０を含む。該回転体１０は力を受けると弾力回転を行い、その中心に可動接続する固定軸２０を軸心として正、逆方向の弾力回転を行う。該回転体１０は輪表面を具え、該輪表面は左輪面１１、右輪面１２に区分される。２個の横方向の係合溝１３、１４はそれぞれが輪表面に設置され、環状凹溝１５は該回転体１０の内壁面に形成する。
　該回転体１０はその中心孔１８により、該固定軸２０中に可動接続する。
　連続したコード５０はその適当な段落５０を取り該環状凹溝１５中に嵌入し、該コード５０の一端は該係合溝１３より穿出する。反対端はもう一方の係合溝１４から穿出し、これにより左、右コード５１、５２を区分する。
　該左コード５１は該係合溝１３より外に出て反対に折れ、該左輪面１１上に巻き付く。該右コード５２は該係合溝１４より外に出て進行方向のまま該右輪面１２上に巻き付く。
【０００６】
　上記構造において、該左コード５１が該左輪面１１に巻き付く回数は、該右輪面１２に右コード５２が巻き付く回数より少なくとも一回以上多い。該左、右コード５１、５２が該左、右輪面１１、１２から引出され、限界点に位置する時、該左コード５１は少なくとも一巻き以上の基礎コイル５１１にあり、該左輪面１１上において禁束され、引出されることはない(図２参照)。
　同様に、該右コード５２が該右輪面１２に巻き付く回数は、該左コード５１が該左輪面１１に巻き付く回数より少なくとも一回以上多いよう選択することができる。該左、右コード５１、５２が限界点にまで引出された時、該右コード５２は基礎コイル５２１にあり、該右輪面１２上において禁束され、引出されることはない。　
【考案の効果】
【０００７】
　本考案の左、右コードが同一直径の左、右輪面に巻き付く回数が異なるため、コード全体が引出された後の、該回転体表面上での安定性と信頼性を確実に増加させることができる。こうして、コードが損傷し、スライド移動する弊害を克服することができる。
【考案を実施するための最良の形態】
【０００８】
　図１が示すように、同一の直径を持つ回転体１０内の環状面には巻き取りバネ４０を嵌入し、該固定軸２０は右ケース体６０の内側壁から突出、固定する。左ケース７０はネジ７７により該固定軸２０の端部のネジ穴２２中に螺接し、該左、右ケース体７０、６０は挿入ピン６２と挿入孔７２により相互に挿入結合される。こうして、コードリールを形成し、該左、右輪面１１、１２上方空間はコード収納空間を形成する。
　該巻き取りバネ４０の内端４２は該固定軸２０上に固定し、外端４４は該回転体１０の壁面に固定する。これにより、該回転体１０は該固定軸２０を回転軸とし弾力性を具えた正回転と逆回転を行う。こうして図２が示すように、該左コード５１は上導入孔７４より導出され、該右コード５２は下導入孔６４より導出される。
【０００９】
　図４、５が示すように、該左、右コード５１、５２はすべて該回転体１０の左輪面１１、右輪面１２上のコード収納空間に収納される。本考案の主要な特色は、該左、右コード５１、５２が左、右輪面１１、１２上に巻き付く回数は同数でない点である。
　該左コード５１(或いは右コード５２)が該左輪面１１上に巻き付く回数は該右コード５２(或いは左コード５１)が該右輪面１２(或いは左輪面１１)上に巻き付く回数より少なくとも一回以上多い。使用者が該左、右コード５１、５２を外に向って引出す時、該回転体１０はトルクを受け、該固定軸２０を軸心として同方向の回転を行う。該左、右コード５１、５２は相互に反対方向に限界点まで引出されると、図２、３が示すように、該左コード５１は少なくとも一巻き以上の基礎コイル５１１があり、該左輪面１１上において拘束され、引出されることはない(図２は二巻き基礎コイル５１１を示す)。これにより、トルクは該基礎コイル５１１及び該左輪面１１、該右輪面１２により平均に分担し吸収され、こうして、応力は該係合溝１３、１４と該左、右コード５１、５２の接触点１３１、１４１に集中しない。よって、大きな剪断力が該接触点１３１、１４１において形成されることはなく、摩擦力は最小にまで減少する。
【００１０】
　このような結果により、該左、右コード５１、５２の表皮は強い摩擦を受け破裂することなはく、該環状凹溝１５中に位置する段落５４も力を受け、該環状凹溝１５中においてスライド移動することはない。こうして、該左、右コード５１、５２は該回転体１０の表面上において長期間トルクを受け引出し、収納を繰り返しても、該左、右コード５１、５２は引出される長さと該回転体１０に収納される長さは同一にならない。
【図面の簡単な説明】
【００１１】
【図１】本考案の立体分解図である。
【図２】本考案の左、右コードが限界点まで引出された様子を示す断面指示図である。
【図３】図２のA-A'線における断面図である。
【図４】本考案の左、右コード収納後の断面指示図である。
【図５】図４のB-B'線における断面図である。
【図６】公知のコードリールの立体分解図である。
【図７】公知のコードリールの左、右コードが限界点まで引出された様子を示す断面指示図である。
【図８】公知のコードリールにおいてそのコードが摩擦により傷つく様子を示す拡大平面図である。
【符号の説明】
【００１２】
１０　回転体
　１１　左輪面
　１２　右輪面
　１３　係合溝
　１４　係合溝
　１５　環状凹溝
　１８　中心孔
１３１　接触点
１４１　接触点
　２０　固定軸
　２２　ネジ孔
　４０　巻き取りバネ
　４２　内端
　４４　外端
　５０　コード
　５１　左コード
　５２　右コード
　５４　段落
５１１　基礎コイル
５２１　基礎コイル
　６０　右ケース体
　６２　挿入ピン
　６４　下導入孔
　７０　左ケース体
　７２　挿入孔
　７４　上導入孔
　７７　ネジ
【図１】
0003100577.tif 000003
【図２】
0003100577.tif 000004
【図３】
0003100577.tif 000005
【図４】
0003100577.tif 000006
【図５】
0003100577.tif 000007
【図６】
0003100577.tif 000008
【図７】
0003100577.tif 000009
【図８】
0003100577.tif 000010